(57)【要約】【課題】本考案の課題は、ゴルフホールからゴルフホールへ移動する途中において、ゴルフ手袋をロープ等で繋ぐことなく、ゴルフ手袋を手から外して脱着容易に係留するためのゴルフ手袋及びゴルフ手袋係留具を提供することである。【解決手段】ゴルフ手袋が甲側の裾部からの切り込みを有する手袋本体と切り込み部付近の甲側表面部に設けられた雄面ファスナーと切り込み部付近に設けられた脱着ベルト裏面に雌ファスナーを有するように構成され、一方、ゴルフ手袋係留具が正面部と上面部と背面部とからなりコの字形状を構成し、ゴルフ手袋の甲部表面に添着した雄面ファスナーを脱着容易に装着する雌面ファスナーを当該正面部に添着すると共に当該背面部の先端に止め具を設けたことを特徴とするゴルフ手袋とゴルフ手袋係留具。【選択図】図１
0003118017.tif 000002
【実用新案登録請求の範囲】
【請求項１】
ゴルフ手袋が甲側の裾部からの切り込みを有する手袋本体と切り込み部付近の甲側表面部に設けられた雄面ファスナーと切り込み部付近に設けられた脱着ベルト裏面に雌ファスナーを有するように構成され、一方、ゴルフ手袋係留具が正面部と上面部と背面部とからなりコの字形状を構成し、ゴルフ手袋の甲部表面に添着した雄面ファスナーを脱着容易に装着する雌面ファスナーを当該正面部に添着すると共に当該背面部の先端に止め具を設けたことを特徴とするゴルフ手袋とゴルフ手袋係留具。
【請求項２】
ゴルフ手袋係留具が雌面ファスナーを添着した平板を折り曲げることにより加工したことを特徴とする請求項１記載のゴルフ手袋係留具。
【請求項３】
ゴルフ手袋係留具の正面部の長さが背面部の長さよりも長いことを特徴とする請求項１〜請求項２記載のゴルフ手袋係留具。
【請求項４】
ゴルフ手袋係留具の正面部の先端のエッジ部と背面部の先端のエッジ部が面取りされていることを特徴とする請求項１〜請求項３記載のゴルフ手袋係留具。
【請求項５】
ゴルフ手袋係留具の背面部の裏面に雄面ファスナーを添着されていることを特徴とする請求項１〜請求項４記載のゴルフ手袋係留具。
【考案の詳細な説明】
【技術分野】
【０００１】
この考案は、ゴルフホールからゴルフホールへ移動する途中において、ゴルフ手袋を手から外して脱着容易に係留するためのゴルフ手袋(特に断らない限り、使用時には手にピッタリ密着すると共に、挿脱容易なように甲側の裾野から切り込みを入れた手袋をいう。以下同じ。)及びゴルフ手袋係留具に関する考案である。
【背景技術】
【０００２】
従来、ゴルフホールからゴルフホールへ移動する途中において、ゴルフ手袋を手から外して収納するために、ゴルフズボンのポケットにゴルフ手袋を収納していた。しかし、ゴルフ手袋をゴルフズボンのポケットに収納するとポケットが膨らんで、ポケットに接する身体部分に、違和感を生じ、コース攻略について神経集中を妨げるという欠点が指摘されていた。
また、雨天のときのゴルフプレイでは、手袋が雨に塗れて、塗れたた手袋をズボンのポケットに入れるとポケットが塗れてポケット部の身体の一部が冷感を感じてゴルフのプレーに専念することが出来ないという欠点が指摘されていた。
一方、手袋をポケットに入れておく従来方法では、キチンとポケットに入れておかないと、ゴルフホールからゴルフホールへ歩いて移動している途中で、ポケットから食み出して紛失してしまうという問題点があった。
ゴルフ手袋の技術ではないが、手袋の紛失（脱落）防止技術として、考案者が把握している従来技術は、以下のようなものである。
従来の手袋紛失（脱落）を防ぐ工夫としては、左右の手袋を紐で繋ぎ、首から下げる方法が一般的であるが、頸部を圧迫したり、長い紐が煩わしいなどの欠点があった。
その欠点を除くために考案されたものとして、考案者が把握している従来技術として、実用新案登録第３０１３９１８号公報がある。
実用新案登録第３０１３９１８号公報に記載された考案は、本考案は、「手袋（１）の開口部の手の甲側中央（４）に、手首を一周する程度の長さのロープ（２）を付け、その端にクリップ（３）を付ける。」というものである(図３参照)。
しかし、ゴルフ手袋に先端にクリップを付けたロープを付けたのでは、ゴルフ手袋がロープを介してぶら下がった状態でブラブラし、ゴルフプレーヤーはそれが気にかかり、ゴルフのプレーへの神経集中を妨げることになるという欠点が有った。
ゴルフ手袋を身体に身に付ける物をロープで繋がない手段を提供することが課題となっていた。
【０００３】
【特許文献１】実用新案登録第３０１３９１８号公報
【考案の開示】
【考案が解決しようとする課題】
【０００４】
考案が解決しようとする第一の課題は、ゴルフホールからゴルフホールへ移動する途中において、ゴルフ手袋をロープ等で繋ぐことなく、ゴルフ手袋を手から外して脱着容易に係留するためのゴルフ手袋及びゴルフ手袋係留具を提供することである。
考案が解決しようとする第二の課題は、ゴルフ手袋に手を加えることをしないで、ゴルフ手袋をロープ等で繋ぐことなく、ゴルフホールからゴルフホールへ移動する途中において、ゴルフ手袋を手から外して脱着容易に係留するためのゴルフ手袋及びゴルフ手袋係留具を提供することである。
考案が解決しようとする第三の課題は、ゴルフ手袋をゴルフ手袋係留具に装着したままで腰ベルトから、簡単に外すことのできるゴルフ手袋及びゴルフ手袋係留具を提供することである。
＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊
【課題を解決するための手段】
【０００５】
課題を解決するための手段は、実用新案登録請求の範囲の各請求項に記載の考案で有り、具体的には以下の考案である。
〔請求項１〕ゴルフ手袋が甲側の裾部からの切り込みを有する手袋本体と切り込み部付近の甲側表面部に設けられた雄面ファスナーと切り込み部付近に設けられた脱着ベルト裏面に雌ファスナーを有するように構成され、一方、ゴルフ手袋係留具が正面部と上面部と背面部とからなりコの字形状を構成し、ゴルフ手袋の甲部表面に添着した雄面ファスナーを脱着容易に装着する雌面ファスナーを当該正面部に添着すると共に当該背面部の先端に止め具を設けたことを特徴とするゴルフ手袋とゴルフ手袋係留具。
〔請求項２〕  ゴルフ手袋係留具が雌面ファスナーを添着した平板を折り曲げることにより加工したことを特徴とする請求項１記載のゴルフ手袋係留具。
〔請求項３〕  ゴルフ手袋係留具の正面部の長さが背面部の長さよりも長いことを特徴とする請求項１〜請求項２記載のゴルフ手袋係留具。
〔請求項４〕  ゴルフ手袋係留具の正面部の先端のエッジ部と背面部の先端のエッジ部が面取りされていることを特徴とする請求項１〜請求項３記載のゴルフ手袋係留具。
〔請求項５〕ゴルフ手袋係留具の背面部の裏面に雄面ファスナーを添着されていることを特徴とする請求項１〜請求項４記載のゴルフ手袋係留具。
＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊
＜用語の説明＞
ここにおいて、本願の実用新案登録請求の範囲、明細書、図面の記載の用語の解釈上の疑義を解消すべく、以下の通り用語の説明を行なう。
○ゴルフ手袋とは、ドライバーやアイアンでゴルフボールを打つ時に用いるもので、通常は利き手の反対側の手の手袋である。
【０００６】
したがって、手袋紛失を防ぐ工夫としては、左右の手袋を紐で繋ぎ、首から下げる方法が一般的であるが、かかる方法はゴルフ手袋では必要性がないことに、発明者は、種々検討し試行した結果初めて気が付いた。すなわち、ゴルフホールからゴルフホールへ移動する途中において、プレーヤーは、障害物のないフェアウェイを移動するので、ゴルフ手袋にそれ程大きな外力が作用することがなく、面ファスナーによる係留で充分に対処できることに気が付いた。
○切り込みとは、ゴルフ手袋が脱着容易なように設けられたもので、装着したときには、ゴルフ手袋が甲側表面部に設けられた雄面ファスナーと切り込み部付近に設けられた脱着ベルト裏面に雌ファスナーとが接着された状態となる。
【０００７】
本考案では、上記のような切込みを有するゴルフ手袋が主流を占めており、ゴルフ手袋の甲側表面部に設けられた雄面ファスナーを有効活用すべく、ゴルフ手袋係留具が正面部と上面部と背面部とからなり、ゴルフ手袋の甲部表面に添着した雄面ファスナーを脱着容易に装着する雌面ファスナーを当該正面部に添着すると共に当該背面部の先端に止め具を設けたことを特徴とするゴルフ手袋とゴルフ手袋係留具を考案した。
○面ファスナーとは、鉤状の突起が一面についた布（雌面ファスナー）と、パイル状の面（雄面ファスナー）で一組みとなった留め具をいう。
○雌面ファスナーとは、鉤状の突起が一面についた布部をいう。
○雄面ファスナーとは、パイル状の面をいう。
○紛失（脱落）とは、特に、ゴルフホールからゴルフホールへ移動する際に、ゴルフプレーヤーの身体から気が付かないで地面に落ちて離れてしまうことをいう。
なお、ゴルフ手袋の紛失（脱落）だけではなく、ゴルフ手袋係留具の紛失（脱落）もある。
ゴルフホールからゴルフホールへ移動する途中において、ゴルフ手袋係留具が、腰ベルトから紛失（脱落）しないとも限らないからである。
○係留とは、ゴルフホールからゴルフホールへ移動する途中において、ゴルフ手袋を腰ベルトから紛失（脱落）しないように留めておくことをいい、係留具とは、ゴルフホールからゴルフホールへ移動する途中において、ゴルフ手袋を腰ベルトから紛失（脱落）しないように留めておくための道具をいう。
＊＊＊＊＊＊＊＊＊＊＊＊＊＊＊＊＊＊＊＊＊＊＊＊＊＊＊＊＊＊＊＊＊＊＊
＊＊＊＊＊＊＊＊＊＊＊＊＊＊＊＊＊＊＊＊＊＊＊＊＊＊＊＊＊＊＊＊＊＊＊
○請求項１記載考案の特徴的構成要件について以下説明する。
【０００８】
請求項１記載考案の特徴的構成要件は、「ゴルフ手袋の装脱着容易にするために、ゴルフ手袋の甲部に切れ目を入れて、使用時に緊縛すべくゴルフ手袋の甲部に添着した雄面ファスナーを利用して、腰ベルトに脱着容易に止着すべく、ゴルフ手袋係留具が正面部と上面部と背面部とからなりコの字形状を構成し、ゴルフ手袋の甲部表面に添着した雄面ファスナーを脱着容易に装着する雌面ファスナーを当該正面部に添着すると共に当該背面部の先端に止め具を設けたことを特徴とするゴルフ手袋とゴルフ手袋係留具。」であり、かかる構成とすることにより、以下のような当業者が予知できない顕著な効果を発揮することができた。
【０００９】
（１）ゴルフ手袋の装脱着容易にするために、ゴルフ手袋の甲部に切れ目を入れて、使用時に緊縛すべくゴルフ手袋の甲部に雄面ファスナーを添着したゴルフ手袋は、非常に汎用されている。特に、ゴルファーの利き手の反対の手に当該ゴルフ手袋は装着するのが一般的である。
このような、ごく普通に入手できる雄面ファスナーを添着したゴルフ手袋（市販されているゴルフ手袋）は、改めて一から製造する必要もなくそのままで使用でき、雄面ファスナーと対となる雌面ファスナーをゴルフ手袋係留具が正面部に添着したゴルフ手袋係留具を提供することができ、本発明課題１を達成することができるゴルフ手袋とゴルフ手袋係留具を提供することが可能となった。
【００１０】
（２）ゴルフ手袋係留具が正面部と上面部と背面部とからなりコの字形状を構成するとしたのは、ゴルフ手袋自体が外し易いだけではなく、ゴルフ手袋とゴルフ手袋係留具を、止着されて一体となったままで、腰ベルトから外すことが容易となる。
【００１１】
したがって、クラブハウス等で食事をする時など、一々腰ベルトからゴルフ手袋係留具を外すためベルと通しから腰ベルトを抜く必要もなく、ワンタッチでゴルフ手袋とゴルフ手袋係留具を、止着されて一体となったままで、腰ベルトから外すことができるので、非常に便利である。
【００１２】
しかも、ゴルフ手袋とゴルフ手袋係留具を、止着されて一体となったままで、外しておくことができるので、ゴルフ手袋とゴルフ手袋係留具が人のものと分らなくなる確率が非常に少なくなるという効果が有った。
（３）ゴルフ手袋係留具の基本的構成は、正面部と上面部と背面部とからなり、かつコの字形状を構成して、腰ベルトから容易に外せるように考慮したものである。
しかし、ゴルフホールからゴルフホールへ移動する際や、ゴルフボールを打っている際に、ゴルフ手袋係留具の基本的構成をコの字形状を構成したため、腰ベルトから、ゴルフ手袋ではなく、ゴルフ手袋係留具が腰ベルトから紛失（脱落）しないとも限らない。
ゴルフ手袋係留具が腰ベルトから紛失（脱落）することがないように、ゴルフ手袋係留具の当該背面部の先端に止め具を設けたのである。
ゴルフ手袋係留具の当該背面部の先端に止め具を設けたことにより、ゴルフ手袋係留具が腰ベルトから紛失（脱落）する確率が格段に低下した。
○請求項２記載考案の特徴的構成要件について以下説明する。
【００１３】
請求項２記載考案の特徴的構成要件は、「ゴルフ手袋係留具が雌面ファスナーを添着した平板を折り曲げることにより加工したこと」である。
既に、甲側の裾部からの切り込みを有する手袋本体と切り込み部付近の甲側表面部に設けられた雄面ファスナーと切り込み部付近に設けられた脱着ベルト裏面に雌ファスナーを有するように構成されたゴルフ手袋をそのまま有効利用することで、本発明課題の達成手段のコストを低下させたものの、さらなるコスと低減のために、請求項２記載発明を完成させた。
すなわち、手袋甲部表面に添着した雄面ファスナーと対の雌面ファスナーを張り合わせた板材を、長方形状に切断した後、折り曲げてゴルフ手袋係留具とするものである。
請求項２の構成の発明とすることで、請求項１記載発明以上のコストダウンを達成することが出来た。
○請求項３記載考案の特徴的構成要件について以下説明する。
【００１４】
請求項３記載考案の特徴的構成要件は、「ゴルフ手袋係留具の正面部の長さが背面部の長さよりも長いこと」を特徴とすることである。
ゴルフ手袋係留具の正面部の長さが背面部の長さよりも長いというのは、思いのほか重要である。
腰に手を宛がうことは、特に体が硬くなっている高齢者にとって、意外と難しいものである。ゴルフ手袋をゴルフ手袋係留具の正面部雌面ファスナーに止着することは、意外と難しい。
腰ベルトより低い位置でゴルフ手袋を身体部に止着するようにすれば良いことに、考案者は想い到った。
そこで、ゴルフ手袋係留具の正面部の長さを背面部の長さよりも長くすることによって、腰ベルトより低い位置のゴルフ手袋係留具の正面部雌面ファスナーに、ゴルフ手袋を高齢者でも簡単に止着することが可能となった。
○請求項４記載考案の特徴的構成要件について以下説明する。
請求項４記載考案の特徴的構成要件は、「ゴルフ手袋係留具の正面部の先端のエッジ部と背面部の先端のエッジ部が面取りされていること」である。
ゴルフ手袋係留具の正面部の先端のエッジ部と背面部の先端のエッジ部が面取りされていることにより、素手でゴルフ手袋係留具に触れた場合でも、優しい触感を与えるゴルフ手袋係留具を提供することが可能となった。
○請求項５記載考案の特徴的構成要件について以下説明する。
請求項５記載考案の特徴的構成要件は、「ゴルフ手袋係留具の背面部の裏面に雄面ファスナーを添着されていること」を特徴とすることである。
ゴルフ手袋係留具と腰ベルトとの接触が、摩擦係数が大きくなり、ゴルフ手袋係留具が滑って腰ベルトから脱着することが防止されるという効果が得られる。
また、ゴルフ手袋係留具には、雌面ファスナーが多く用いられるが、雄面ファスナーも用いられるようにしてバランス良く雌面ファスナーと雄面ファスナーを用いるように配慮した。
【考案の効果】
【００１５】
この考案の効果として、上述した考案が解決しようとする課題（目的）を全て達成することができた。
○考案が解決しようとする第一の課題の達成
本発明によれば、ゴルフホールからゴルフホールへ移動する途中において、ゴルフ手袋をロープ等で繋ぐことなく、ゴルフ手袋を手から外して脱着容易に係留するためのゴルフ手袋及びゴルフ手袋係留具を提供すること（考案が解決しようとする第一の課題）を達成することができた。
○考案が解決しようとする第二の課題の達成
ゴルフ手袋に手を加えることをしないで、ゴルフホールからゴルフホールへ移動する途中において、ゴルフ手袋をロープ等で繋ぐことなく、ゴルフ手袋を手から外して脱着容易に係留するためのゴルフ手袋及びゴルフ手袋係留具を提供すること（考案が解決しようとする第二の課題の達成）を達成することができた。
○考案が解決しようとする第三の課題の達成
ゴルフ手袋をゴルフ手袋係留具に装着したままで腰ベルトから、容易に外すことのできるゴルフ手袋及びゴルフ手袋係留具を提供すること（考案が解決しようとする第三の課題の達成））を達成することができた。
【考案を実施するための最良の形態】
【００１６】
考案を実施するための最良の形態について以下説明する。
【００１７】
各請求項記載の考案の特徴的構成要件において、上述した効果を発揮させることができた。
【実施例１】
【００１８】
以下、この考案における一実施例を図について説明する。
図１は、本考案のゴルフ係留具の一実施例である。
図１の（ａ）は、本考案のゴルフ係留具の正面図である。
図１の（ｂ）は、本考案のゴルフ係留具の平面図である。
図１の（ｃ）は、本考案のゴルフ係留具の背面図である。
図２は、本考案のゴルフ手袋一実施例である。
図１において、ゴルフ係留具１０が正面部３と上面部４と背面部５とからなりコの字形状を構成している。
雌面ファスナー１１を当該正面部３に添着すると共に当該背面部５の先端に止め具６を設けた。
ゴルフ手袋係留具１０は、雌面ファスナー１１を添着した平板（図示せず）を折り曲げることにより加工されて製作される。
雌面ファスナー１１と平板（図示せず）の張合（接着）は、接着材を用いて予め製作しておく。そして、平板の折り曲加工により、ゴルフ係留具１０は、図１のように、平板は加工されて、正面部3、上面部4、背面部5からなり、コの字形状を構成する。
【００１９】
最後に、ゴルフ手袋係留具１０の背面部５先端を９０度折り曲げて、止め具６を設ける。
【００２０】
平板は、適度の弾性を有する樹脂板等が好ましい。
【００２１】
ゴルフ手袋係留具１０の背面部５の裏面１８に雄面ファスナー１を接着剤により張り合わせて（二層の）シート体１９とした。
【００２２】
上記の工程を経て、図１のゴルフ手袋係留具を完成させた。
【００２３】
次に、図２に基づいて、本願発明の構成をなすゴルフ手袋を説明しよう。
【００２４】
図に示すゴルフ手袋２０は、使用時には手にピッタリ密着すると共に、挿脱容易なように甲側の裾野１６から切り込み１５を入れて、手袋本体２０の甲側表面部１３に、雄面ファスナー１２を張合させると共に、脱着ベルト裏面１４に雌面ファスナー１１を張合させるようにしたものである。
【００２５】
図２の手袋本体において、特に重要なことは、手袋本体２０の甲側表面部１３に張合させた雄面ファスナー１２を図１のゴルフ係留具１０の正面部３の雌面ファスナー１に脱着容易に係留させることである。
＊＊＊＊＊＊＊＊＊＊＊＊＊＊＊＊＊＊＊＊＊＊＊＊＊＊＊＊＊＊＊＊＊＊
＜本考案の使用方法＞
上記のようにして、製作されたゴルフ手袋２０とゴルフ係留具１０の使用方法について、以下説明する。
【００２６】
ゴルフ手袋２０は、ゴルプレーヤーがゴルフクラブを握る際に使用した後は、次回使用するときまでは、ポケット等に収納する必要がある。
【００２７】
従来は、ゴルフ手袋２０は、ポケットに仕舞っておいてまま、ゴルフホールからゴルフホールへ移動した。
【００２８】
これに対して、本考案のゴルフ手袋２０とゴルフ係留具１０を用いれば、本考案の課題が全て解消した。
【００２９】
すなわち、ゴルフ係留具１０を腰に巻いた腰ベルトの上側の縁から、引っ掛けて係止させる。
ゴルフ手袋２０をゴルフクラブを握って使用した後、脱着ベルトを開いたまま、ゴルフ手袋２０の甲側表面部１３に張り合わせた雌面ファスナー１２をとゴルフ手袋係留１０の正面部３の雄面ファスナー１１に脱着自在に係留させる。
これにより、ゴルフホールからゴルフホールへ移動する際は勿論、ゴルフスイングをする際にも、ゴルフ係留具１０が腰ベルトから外れることもなく、ゴルフ手袋２０がゴルフ係留具１０の雄面ファスナー１１から外れて紛失することもなかった。
【図面の簡単な説明】
【００３０】
【図１】本考案のゴルフ係留具の一実施例である。（ａ）は、本考案のゴルフ係留具の正面図である。（ｂ）は、本考案のゴルフ係留具の平面図である。（ｃ）は、本考案のゴルフ係留具の背面図である。
【図２】本考案のゴルフ手袋の一実施例である。
【図３】従来技術の構成を説明するための図である。
【符号の説明】
【００３１】
１  雌面ファスナー
２  雄面ファスナー
３  正面部
４  上面部
５  背面部
６  止め具
１０  ゴルフ係留具
１１  雌面ファスナー
１２  雄面ファスナー
１３  甲部表面部
１４  脱着ベルト裏面
１５  切り込み
１６  甲側の裾野
１７  ゴム部
１８  背面部の裏面
１９  シート体（二層のシート体）
２０  手袋本体（左手）
【図１】
0003118017.tif 000003
【図２】
0003118017.tif 000004
【図３】
0003118017.tif 000005